(57)【要約】【課題】トリガー式噴霧器用キャップを操作するとき、指が操作レバー部の付け根に入り込まないようにする。【解決手段】噴霧器用キャップの操作部３は、噴筒部３１、取付板３２、引き金の役をする操作レバー部３４、ノズルステム挿嵌部３５、液通路３６、噴口部３７（噴霧ノズルなどを取り付ける）等を有している。噴口部３７の下方から操作レバー部３４の上端部分に亘って肉厚部５０を形成する。この肉厚部５０により指が操作レバー部３４の付け根に入り込まない。なお肉厚部のほかに、噴口部の下方及び／又は操作レバー部の上端部に突部を設けたり、操作レバー部に指掛部を形成するなどしてもよい。【選択図】図７
2006312169.tif 000002
【特許請求の範囲】
【請求項１】
噴霧器用容器の、容器の上端部のマウントに嵌合されたカバー部と、
容器の上部に突き出したノズルステムに挿嵌され、かつカバー部に揺動可能に枢支された操作部とからなり、
操作部は操作レバー部を有しているトリガー式噴霧器用キャップにおいて、
操作部の前端に形成されている噴口部の下方から操作レバー部の上端部に亘る肉厚部が設けられていることを特徴とするトリガー式噴霧器用キャップ。
【請求項２】
噴霧器用容器の、容器の上端部のマウントに嵌合されたカバー部と、
容器の上部に突き出したノズルステムに挿嵌され、かつカバー部に揺動可能に枢支された操作部とからなり、
操作部は操作レバー部を有しているトリガー式噴霧器用キャップにおいて、
操作レバー部の上端部および／又は噴口部に突部が設けられていることを特徴とするトリガー式噴霧器用キャップ。
【請求項３】
前記の突部は噴口部の下方に設けられていることを特徴とする請求項２記載のトリガー式噴霧器用キャップ。
【請求項４】
前記の突部は操作レバー部の上端部と噴口部の下方とに夫々設けられていることを特徴とする請求項２記載のトリガー式噴霧器用キャップ。
【請求項５】
前記の突部は操作レバー部の上端部の噴口部側に設けられていることを特徴とする請求項２記載のトリガー式噴霧器用キャップ。
【請求項６】
噴霧器用容器の、容器の上端部のマウントに嵌合されたカバー部と、
容器の上部に突き出したノズルステムに挿嵌され、かつカバー部に揺動可能に枢支された操作部とからなり、
操作部は操作レバー部を有しているトリガー式噴霧器用キャップにおいて、
操作レバー部に指掛部を設けたことを特徴とするトリガー式噴霧器用キャップ。
【発明の詳細な説明】
【技術分野】
【０００１】
この発明は殺虫剤等の組成物を噴射するエアゾル式とかポンプ式等の噴霧器用容器に用いる噴霧器用キャップであって、トリガーと称せられる操作用の操作レバー部を有するいわゆるトリガー式噴霧器用キャップに関する。
【背景技術】
【０００２】
図１ないし図６にいわゆるトリガー式噴霧器用キャップの内エアゾルキャップとして構成した場合を示している。図１は噴霧器用容器１０の全体構成の外観図を示し、図２は噴霧器用キャップ２の部分を断面で示している。図において噴霧器用キャップ２は噴霧器用容器１０の容器１の上端に取り付けられている。噴霧器用キャップ２は操作部３とカバー部４とから構成されている。図２に示すようにカバー部４は容器１の上端のマウント５に取り付けられている。操作部３は容器１の上端に突き出したノズルステム６に挿嵌され、カバー部４に揺動可能に枢支されている。
図３は操作部３を取り出して示した側面図、図４は図３をＡ方向からみた平面図であって、操作部３において、３１は噴筒部、３２は取付板、３３は取付杆、３４はトリガーと称せられる操作レバー部、３５はバルブステム挿嵌部、３６は噴筒部内の噴射液の通路、３７は噴筒部先端の噴口部、３８は噴口部に嵌めこまれた噴霧オリフィスを夫々示している。操作部３の取付板３２の先端の取付杆３３はカバー部４の後方のリブ４１の下端の保持切欠４２に保持されている。それで指先で操作レバー部３４を引金のように引くと操作部全体は取付杆３３を中心として反時計方向に揺動する。
７はバージンシールであって、図２に示す状態のように使用前の保管、運搬中に誤って操作部が動かされることがないようにされている。
図５はバージンシール７を外したところを示す図、図６は操作レバー部３４を指で引いて操作部３を反時計方向に揺動させ、バルブステム６を傾倒させて液を噴出させているところを示している。図で３９は操作レバー部３４の付け根である。
以上の図示の例のほか、噴筒部と、トリガー部分が別体となっている多数レバー式と称せられるものも考案されている（例えば、特許文献１参照）ように、一体、別体は限定されるものではない。
【０００３】
【特許文献１】特公平３−５１４６８号公報
【発明の開示】
【発明が解決しようとする課題】
【０００４】
上述のような従来のトリガー式噴霧器用キャップにおいては、噴筒部３１から直接操作レバー部３４が形成されているので、指で操作レバー部３４を引いたとき指が操作レバー部３４の付け根の部分３９（図６）のところに入りこんでしまい、小さな力では操作しにくくなる。また噴霧オリフィス３８より噴射された薬液が垂れて指にかかりやすいなどの欠点も免かれなかった。
【課題を解決するための手段】
【０００５】
この発明は前記の欠点を解消するために、噴霧器用キャップの操作レバー部を指で引いたとき指が操作レバー部の付け根のところに入り込まないように、噴口部の下方から操作レバー部の上端部に亘る肉厚部を形成したり、噴口部の下方および／又は操作レバー部の上端部に突部を設けたり、あるいは操作レバー部に指掛部を形成したトリガー式噴霧器用キャップを得たものである。
【発明の効果】
【０００６】
この発明のトリガー式噴霧器用キャップは、上記のような構成であるので、噴霧器用容器を使用し、薬液を噴射するため、操作レバー部を指で引いたとき、指が付け根の部分に入り込まないので、小さい力でレバー操作ができ、さらに噴筒部と指とがある程度離れているので噴射されて垂れた薬液が指にかからない。
【発明を実施するための最良の形態】
【０００７】
図７は第１実施例を示し、操作部３の噴口部３７の下方から操作レバー部３４の上端部に亘って肉厚部５０が形成されている。
図８は第２実施例を示し、噴口部３７の下方に突部５１が設けられている。図９は第３実施例を示し、噴口部３７の下方と、操作レバー部３４の上端近くとに突部５２，５３が夫々設けられている。
図１０は第４実施例を示し、操作レバー部３４の上端近くに２個の突部５４，５５が設けられている。
図１１は第５実施例を示し、操作レバー部３４の先端部分に指掛部５６が形成されている。図１２は第６実施例を示し、操作レバー部３４の中央部分の適所に指掛部５７が形成されている。
この発明において、突部、肉厚部等の形状としては四角状、丸状等任意の形状でよく、又厚みや大きさにおいても、操作者の指がレバー操作中に付け根のところに入り込まない程度の大きさがあればよく、突部の数も１つでも複数でも任意である。
【０００８】
この発明のトリガー式噴霧器用キャップは前記の如き構成であって、噴霧器用容器を使用するに際して操作レバー部を指で引いたときに指が操作レバー部の付け根に入り込まないので小さな力で操作レバー部を引くことができ、又噴射された液が垂れても指にかかることがない。
【図面の簡単な説明】
【０００９】
【図１】噴霧器用容器の外観図
【図２】トリガー式噴霧器用キャップの断面図
【図３】操作部を取り出して示した側面図
【図４】図３をＡ方向からみた平面図
【図５】噴霧器用キャップのバージンシールを外した状態の断面図
【図６】同じく使用中の状態を示す図
【図７】この発明の第１実施形態の断面図
【図８】同じく第２実施形態の断面図
【図９】第３実施形態の断面図
【図１０】第４実施形態の断面図
【図１１】第５実施形態の断面図
【図１２】第６実施形態の断面図
【符号の説明】
【００１０】
１０    噴霧器用容器
１    容器
２    キャップ部
３    操作部
４    カバー部
５    マウント
６    バルブステム
７    バージンシール
３１    噴筒部
３２    取付板
３３    取付杆
３４    操作レバー部
３５    バルブステム挿嵌部
３６    液通路
３７    噴口部
３８    噴霧オリフィス
３９    レバーの付け根
４１    支持リブ
４２    保持切欠
５０    肉厚部
５１    突部
５６    指掛部
【図１】
2006312169.tif 000003
【図２】
2006312169.tif 000004
【図３】
2006312169.tif 000005
【図４】
2006312169.tif 000006
【図５】
2006312169.tif 000007
【図６】
2006312169.tif 000008
【図７】
2006312169.tif 000009
【図８】
2006312169.tif 000010
【図９】
2006312169.tif 000011
【図１０】
2006312169.tif 000012
【図１１】
2006312169.tif 000013
【図１２】
2006312169.tif 000014